(57)【要約】【課題】複数のマンションの専用Ｗｅｂページに掲載している共通の内容を変更する際に、作業時間を低減し、変更もれや作業ミスを防ぐことが可能なＷｅｂページの生成表示方法および修正方法を提供する。【解決手段】複数のマンションに共通した内容をテンプレート３１、３２、３３として作成し、個々のマンション専用Ｗｅｂページ５１ごとに使用するテンプレートを予め指定しておくことで、当該マンションに必要な内容を自動的にテンプレートから読み出してＷｅｂページ５１を生成し表示するとともに、前記テンプレートの内容を修正することで、当該テンプレートを使用する設定となっているマンションのマンション専用Ｗｅｂページも、自動的に内容が修正されたＷｅｂページを生成し表示する。【選択図】        図１
2004334368.tif 000002
【特許請求の範囲】
【請求項１】
複数のインターネットマンションに対して個々に専用Ｗｅｂページをインターネット上に公開しているシステムにおいて、複数のマンションに共通した内容の外部リンク集等をテンプレートとして作成し、また、個々のマンション専用Ｗｅｂページごとに使用するテンプレートを予め指定しておくことで、マンション居住者がインターネット表示端末からマンション専用Ｗｅｂページを参照したときに、当該マンションに必要な内容を自動的にテンプレートから読み出してＷｅｂページを生成し表示するＷｅｂページの生成表示方法。
【請求項２】
前記システムにおいて、複数のマンションに共通したテンプレートの内容を修正することで、当該テンプレートを使用する設定となっているマンションのマンション専用Ｗｅｂページも、自動的に内容が修正されたＷｅｂページを生成し表示するＷｅｂページの修正方法。
【発明の詳細な説明】
【０００１】
【発明の属する技術分野】
本発明は、例えば、インターネット上に公開するインターネットマンションのＷｅｂページの生成表示方法および修正方法に関する。
【０００２】
【従来の技術】
従来、インターネットマンションの専用Ｗｅｂページは、各マンションごとに個別に作成し公開していたため、複数のマンションで共通の内容があった場合でも、それぞれの専用Ｗｅｂページに同一内容を記載していた。
【０００３】
テンプレートを使用してＷｅｂページを生成する方法としては、画面レイアウトやデザインに関する情報をテンプレートとして保存し、そこに表示する文書の内容を例えば各国語に翻訳した個々のコンテンツとして個別に複数作成し、前記テンプレートと前記個別の文書内容をプログラムにて合成してＷｅｂページを生成するといったものがある。この例では、作成者は文書の内容のみを作成し、デザイン等に関しては作成する必要がないことから、Ｗｅｂページ作成の迅速化、コスト低減を図ることが可能となる（例えば、特許文献１参照。）。
【０００４】
【特許文献１】
特開２００１−２９０８１２号公報  （段落番号００３０、第１図）
【０００５】
【発明が解決しようとする課題】
上記従来技術では、複数のマンションで共通の内容があった場合でも、各マンションごとに専用Ｗｅｂページを作成し同一内容を記載していたため、例えば外部リンク集の内容を変更しようとした場合、変更する内容を掲載している複数のマンションについて同一の変更作業を実施する必要があり、作業に多大な時間がかかるとともに、変更もれや作業ミスが発生する可能性が高く、効率が悪かった。
【０００６】
上記従来技術に記載したテンプレートを使用したＷｅｂページ生成方法についても、デザイン等についてはテンプレートを利用できるが、表示する文書内容は個別に作成しているため、複数の文書内容に共通の変更をする場合は、個別に変更作業を実施する必要があるため、同様に作業効率は悪い。
【０００７】
本発明の目的は、複数のマンションの専用Ｗｅｂページに掲載している共通の内容を変更する際に、作業時間を低減し、変更もれや作業ミスを防ぐことが可能なＷｅｂページの生成表示方法および修正方法を提供するにある。
【０００８】
【課題を解決するための手段】
上記目的は、複数のインターネットマンションに対して個々に専用Ｗｅｂページをインターネット上に公開しているシステムにおいて、複数のマンションに共通した内容の外部リンク集等をテンプレートとして作成し、また、個々のマンション専用Ｗｅｂページごとに使用するテンプレートを予め指定しておくことで、マンション居住者がインターネット表示端末からマンション専用Ｗｅｂページを参照したときに、当該マンションに必要な内容を自動的にテンプレートから読み出してＷｅｂページを生成し表示するとともに、前記システムにおいて、複数のマンションに共通したテンプレートの内容を修正することで、当該テンプレートを使用する設定となっているマンションのマンション専用Ｗｅｂページも、自動的に内容が修正されたＷｅｂページを生成し表示することにより、達成される。
【０００９】
【発明の実施の形態】
以下、本発明の一実施形態を図に基づき説明する。
【００１０】
図１は、本発明の一実施形態になるインターネットマンション専用Ｗｅｂページ生成の概念図である。
【００１１】
図において、１はＷｅｂサーバであり、インターネット６に接続されている。前記Ｗｅｂサーバ１には例えば当該マンションの周辺の店舗情報といったマンション個別の内容を掲載したＷｅｂページと、例えば外部リンク集といった複数マンションに共通の内容を予めテンプレートＷｅｂページとして作成し保存する。また、前記マンション個別Ｗｅｂページと前記テンプレートＷｅｂページを合成してマンション専用Ｗｅｂページを作成するＣＧＩプログラム（合成プログラム）４が保存されている。ここで、マンション居住者がインターネット表示端末７を使用してマンションＡ専用Ｗｅｂページを参照しようとした場合、前記インターネット表示端末７からのリクエストを受けた前記Ｗｅｂサーバ１は、例えばマンションＡで使用する共通テンプレートがテンプレートＡ３１とテンプレートＢ３２と指定されていたとすると、マンションＡに関する個別のＷｅｂページ２１と共通テンプレートＡ３１および共通テンプレートＢ３２を前記ＣＧＩプログラム４で合成してマンションＡ専用Ｗｅｂページ５１を生成し、前記インターネット表示端末７へ送信する。これにより、前記インターネット表示端末７にて前記マンションＡ専用Ｗｅｂページ５１を表示することが可能となる。
【００１２】
次に、図２を用いて本発明の一実施形態になるインターネットマンション専用Ｗｅｂページの修正方法について説明する。
【００１３】
例えば、マンション専用Ｗｅｂページに掲載している外部リンク集の中の、あるリンク先のＵＲＬが変更された際に、前記リンク先ＵＲＬを掲載しているすべてのマンションの専用Ｗｅｂページを変更後の内容に修正する場合、例えば前記リンク先ＵＲＬが共通テンプレートＷｅｂページであるテンプレートＢ３２に含まれているとすると、前記テンプレートＢ３２の中の前記変更となったリンク先ＵＲＬを修正し保存する。これにより、マンション居住者がインターネット表示端末７を使用して前記テンプレートＢ３２を使用しているマンションＡ専用Ｗｅｂページ５１またはマンションＣ専用Ｗｅｂページ５３を参照しようとした場合、前記インターネット表示端末７からのリクエストを受けた前記Ｗｅｂサーバ１は、前記ＣＧＩプログラム４にて前記内容が修正されたテンプレートＢ３２とその他必要なＷｅｂページを合成してマンションＡ専用Ｗｅｂページ５１またはマンションＣ専用Ｗｅｂページを生成し、前記インターネット表示端末７へ送信する。このように、内容修正したテンプレートＢ３２を前記ＣＧＩプログラム４にて自動的に取り込んでマンションの専用Ｗｅｂページを生成するため、前記テンプレートＢ３２を使用している全てのマンションの専用Ｗｅｂページは、個別に修正することなく、短期間でもれやミス等なく正確に修正することが可能となる。
【００１４】
【発明の効果】
本発明によれば、複数のマンションの専用Ｗｅｂページに掲載している共通の内容を変更する際に、共通の内容を記載しているテンプレートを変更するだけで、当該テンプレートを使用しているマンションの専用Ｗｅｂページについても全て自動的に内容が修正されたＷｅｂページを生成し表示するため、変更作業における作業時間の低減、コスト低減が図れ、また変更もれや作業ミスを防ぐことが可能となる。
【図面の簡単な説明】
【図１】本発明の一実施形態になるインターネットマンション専用Ｗｅｂページ生成の概念図である。
【図２】本発明の一実施形態になるインターネットマンション専用Ｗｅｂページの修正における概念図である。
【符号の説明】
１  Ｗｅｂサーバ
２１、２２、２３  マンション個別Ｗｅｂページ
３１、３２、３３  共通テンプレートＷｅｂページ
４  ＣＧＩプログラム（合成プログラム）
５１、５２、５３  マンション専用Ｗｅｂページ
６  インターネット
７  インターネット表示端末
【図１】
2004334368.tif 000003
【図２】
2004334368.tif 000004